(57)【特許請求の範囲】
【請求項１】
注射針取付部であるカートリッジ（１）の筒先部（７）側の第１ラバーストッパ（６）と、プランジャーロッド（１０）の挿入口（１１）側に嵌挿された第２ラバーストッパ（９）と、両ラバーストッパ（６、９）の間に位置する第３ラバーストッパ（１２）とにより、カートリッジ（１）が前後２室（１４、１６）に気密に区分されている２室式容器兼用注射器であり、
第１ラバーストッパ（６）と第３ラバーストッパ（１２）との間のカートリッジ（１）内壁に、外側に膨出してバイパス（１８）が形成されており、
該バイパス（１８）内部の長軸方向の長さ（１９）より僅かに短い長さ（２０）の第３ラバーストッパ（１２）がバイパス（１８）の長軸方向内へ移動した際に、前室（１４）に対する後室（１６）のシール性が解除され、後室（１６）内の溶解液又は懸濁液がバイパス（１８）を通して乾燥薬剤の収納されている前室（１４）内に移動する構造の２室式容器兼用注射器において、
前記バイパス（１８）はカートリッジ（１）の半径方向外側に膨出して形成され、バイパス（１８）の挿入口（１１）側の最大幅（ａ）を１とした場合に、筒先部（７）側の最大幅（ｂ）が１．２〜５．０の比率の範囲であり、バイパス（１８）の挿入口（１１）側と筒先部（７）側との間の側縁（２１）が直線状に形成されていることを特徴とする２室式容器兼用注射器。
【請求項２】
注射針取付部であるカートリッジ（１）の筒先部（７）側の第１ラバーストッパ（６）と、プランジャーロッド（１０）の挿入口（１１）側に嵌挿された第２ラバーストッパ（９）と、両ラバーストッパ（６、９）の間に位置する第３ラバーストッパ（１２）とにより、カートリッジ（１）が前後２室（１４、１６）に気密に区分されている２室式容器兼用注射器であり、
第１ラバーストッパ（６）と第３ラバーストッパ（１２）との間のカートリッジ（１）内壁に、外側に膨出してバイパス（２２）が形成されており、
該バイパス（２２）内部の長軸方向の長さ（１９）より僅かに短い長さ（２０）の第３ラバーストッパ（１２）がバイパス（２２）の長軸方向内へ移動した際に、前室（１４）に対する後室（１６）のシール性が解除され、後室（１６）内の溶解液又は懸濁液がバイパス（２２）を通して乾燥薬剤の収納されている前室（１４）内に移動する構造の２室式容器兼用注射器において、
前記バイパス（２２）はカートリッジ（１）の半径方向外側に膨出して形成され、バイパス（２２）の挿入口（１１）側の最大幅（ａ）を１とした場合に、筒先部（７）側の最大幅（ｂ）が１．２〜５．０の比率の範囲であり、バイパス（２２）の挿入口（１１）側と筒先部（７）側との間の側縁（２３）がバイパス（２２）外方へ膨出する緩い凸状の円弧を形成していることを特徴とする２室式容器兼用注射器。
【請求項３】
注射針取付部であるカートリッジ（１）の筒先部（７）側の第１ラバーストッパ（６）と、プランジャーロッド（１０）の挿入口（１１）側に嵌挿された第２ラバーストッパ（９）と、両ラバーストッパ（６、９）の間に位置する第３ラバーストッパ（１２）とにより、カートリッジ（１）が前後２室（１４、１６）に気密に区分されている２室式容器兼用注射器であり、
第１ラバーストッパ（６）と第３ラバーストッパ（１２）との間のカートリッジ（１）内壁に、外側に膨出してバイパス（２４）が形成されており、
該バイパス（２４）内部の長軸方向の長さ（１９）より僅かに短い長さ（２０）の第３ラバーストッパ（１２）がバイパス（２４）の長軸方向内へ移動した際に、前室（１４）に対する後室（１６）のシール性が解除され、後室（１６）内の溶解液又は懸濁液がバイパス（２４）を通して乾燥薬剤の収納されている前室（１４）内に移動する構造の２室式容器兼用注射器において、
前記バイパス（２４）はカートリッジ（１）の半径方向外側に膨出して形成され、バイパス（２２）の挿入口（１１）側の最大幅（ａ）を１とした場合に、筒先部（７）側の最大幅（ｂ）が１．２〜５．０の比率の範囲であり、バイパス（２４）の挿入口（１１）側と筒先部（７）側との間の側縁（２５）がバイパス（２４）内方へ膨出する緩い凸状の円弧を形成していることを特徴とする２室式容器兼用注射器。
【請求項４】
注射針取付部であるカートリッジ（１）の筒先部（７）側の第１ラバーストッパ（６）と、プランジャーロッド（１０）の挿入口（１１）側に嵌挿された第２ラバーストッパ（９）と、両ラバーストッパ（６、９）の間に位置する第３ラバーストッパ（１２）とにより、カートリッジ（１）が前後２室（１４、１６）に気密に区分されている２室式容器兼用注射器であり、
第１ラバーストッパ（６）と第３ラバーストッパ（１２）との間のカートリッジ（１）内壁に、外側に膨出してバイパス（２６）が形成されており、
該バイパス（２６）内部の長軸方向の長さ（１９）より僅かに短い長さ（２０）の第３ラバーストッパ（１２）がバイパス（２６）の長軸方向内へ移動した際に、前室（１４）に対する後室（１６）のシール性が解除され、後室（１６）内の溶解液又は懸濁液がバイパス（２６）を通して乾燥薬剤の収納されている前室（１４）内に移動する構造の２室式容器兼用注射器において、
前記バイパス（２６）は、カートリッジ（１）の半径方向外側に膨出して形成されており、バイパス（２６）の筒先部（７）側（２９）のカートリッジ軸線と直交する断面における断面積を１とした場合に、バイパス（２６）の筒先部（７）側（２９）のカートリッジ軸線と直交する断面における断面積が１．２〜５．０の比率であり、カートリッジ（１）はバイパス（２６）の領域で半径方向外側へ膨出しており、当該膨出した領域の膨出度合いは、バイパス（２６）の挿入口（１１）側（２８）から筒先部（７）側（２９）に向かって徐々に大きくなり、バイパス（２６）よりも筒先部（７）側の領域では膨出度合いはゼロとなる様に構成されていることを特徴とする２室式容器兼用注射器。
【発明の詳細な説明】
【０００１】
【発明の属する技術分野】
本発明は、ガラスあるいはプラスチックからなるカートリッジ内が、複数のラバーストッパによって２室に区切られている２室式容器兼用注射器において、ラバーストッパで仕切られている前室と後室の両室を連通させるために、カートリッジの筒肉を外側方向へ膨出させて形成されているバイパス部の改良に関する。
【０００２】
【従来の技術】
前述の構造の２室式容器兼用注射器としては、既に、特開昭６２ー５３５７号公報あるいは実公平３ー３１３０２号公報に開示されたものが提案されている。
【０００３】
前記特開昭６２ー５３５７号公報に開示されているものでは、図６に示されるごとく、ガラスあるいはプラスチックからなるカートリッジＡ内部に、筒先Ｌ側に位置する第１ラバーストッパＦとプランジャーロッドＭの挿入口側たる鍔側Ｎに位置する第２ラバーストッパＤと、該両ラバーストッパＤとＦとの間の第３のラバーストッパＥ１，Ｅ２とが配置され、該第３のラバーストッパＥ１，Ｅ２によりカートリッジＡ内部が前室Ｃと後室Ｂとに気密に区分されている。
【０００４】
前記第１ラバーストッパＦと第３のラバーストッパＥ１，Ｅ２との間のカートリッジＡの内壁には、前記前室Ｃと後室Ｂとを連通させるバイパスＩが外側に向かって膨出させられている。
【０００５】
前記図６に示す構造の２室式兼用注射器では、プランジャーロッドＭの押進の初期に、第１ラバーストッパＦが開口端室Ｑ１を経て筒先室Ｑ２へ移動し、筒先室Ｑ２の内周壁に凹設されている溝Ｒ１，Ｒ２により、開口端室Ｑ１と筒先室Ｑ２とが、注射針Ｊに連通する連通孔Ｐに連通させられ、続くプランジャーロッドＭの押進により、第２ラバーストッパＤが前進すると、後室Ｂに液密に封入されている溶解液Ｈ等の液剤の内圧により、第３のラバーストッパＥ１，Ｅ２が前室Ｃ側へ押進させられる。
【０００６】
第３のラバーストッパＥ１，Ｅ２が、バイパスＩ内に移動した瞬間に、後室Ｂと前室ＣとがバイパスＩと第３のラバーストッパＥ１，Ｅ２との間の間隙により連通され、溶解液Ｈ等の液剤は高速で前室Ｃ内へ流入し、前室Ｃに収納されている乾燥薬剤Ｇと懸濁されるか、該薬剤を溶解させるが、前記後室Ｂと前室Ｃとの連通初期において、バイパス部Ｉを通過した溶解液Ｈ等の液剤は、大きな運動エネルギーを有するので水鉄砲現象で、筒先室Ｑ２内の第１ラバーストッパＦの背面に衝突し、溝Ｒ１，Ｒ２内に流入して乾燥薬剤Ｇと十分に懸濁されたり、該薬剤を十分に溶解することなく、連通孔から注射針Ｊへ到達してしまう。
【０００７】
なお、第３のラバーストッパＥ２は、後室Ｂと前室Ｃとの液密封止を確保する目的と、溶解液Ｈ等の液剤の注入，封止後に行われる蒸気滅菌によって吸湿した第３のラバーストッパＥ１から、前室Ｃに封入される乾燥薬剤Ｇに湿気が移行するのを防止する目的とにより、開口端室Ｑ１側から嵌入されるものである。
【０００８】
前記実公平３ー３１３０２号公報に開示された従来例のものは図７に示されるごとく、カートリッジＫの内壁の図示の省略されているプランジャーロッド側の鍔側にガスケットＳが、筒先部Ｖに第１ラバーストッパＷが嵌挿され、該ガスケットＳと第１ラバーストッパＷの間に第３ラバーストッパＲ３が嵌挿され、第３ラバーストッパＲ３によりカートリッジＫの内部は前室Ｑ３と後室Ｑ４に区分されており、前室Ｑ３には薬剤Ｇが、後室Ｑ４には溶解液Ｈがそれぞれ封入されており、前記第１ラバーストッパＷと第３ラバーストッパＲ３との間のカートリッジＫの内壁には、前室Ｑ３と後室Ｑ４とを連通させるバイパスＴがカートリッジＫの外側に向かって膨出させられている構造のものである。
【０００９】
前記第３ラバーストッパＲ３と第２ラバーストッパＳとの対峙面にそれぞれ凹状係合部Ｐ１と凸状係合部Ｐ２とが形成され、両対峙面が当接した時、両者係合部Ｐ１とＰ２とが係合され、一体ものとされる。
【００１０】
図７に示される注射器は、使用に先立ち、筒先部に、両頭注射針が第１ラバーストッパＷを刺通するまで嵌着され、次いで前記第２ラバーストッパＳのネジ部に螺着された図示の省略されたプランジャーロッドにより、前記第２ラバーストッパＳを前進させることにより、後室Ｑ４の溶解液による内圧が高まり、第３ラバーストッパＲ３は前進させられ、該第３ラバーストッパＲ３がバイパスＴ内へ進入し、後室Ｑ４と前室Ｑ３とが連通させられた瞬間に溶解液は高い運動エネルギーを持って前室Ｑ３内へ水鉄砲現象を生じつつ第１ラバーストッパＷへ達する。
【００１１】
後室Ｑ４内の溶解液の全量が前室Ｑ３へ移動した時点で、第２ラバーストッパＳは第３ラバーストッパＲ３に当接し、係合部Ｐ１とＰ２とが一体に結合される。
【００１２】
前記図６および図７に示されるいずれの従来例においても、注射針が注射器に嵌挿された状態で、前記後室側の溶解液等の液剤を乾燥薬剤の収納されている前室へ移行させる操作が行われるので、溶解液等の液剤の前記水鉄砲現象により、乾燥薬剤の懸濁あるいは溶解前に、液剤のみが注射針から漏出し、前室内の乾燥薬剤の溶解に必要な溶解液量が不足し溶解が正しく行われない問題点がある。
【００１３】
またこの水鉄砲現象を防止するには、使用者によるプランジャの押し操作の手加減に依存するしかなく、このことは注射器の使用方法を著しく難しいものとする欠点があった。
【００１４】
さらに、従来の注射器の構造自体で前記水鉄砲現象の防止を図るためには、前室の容積を不必要に大きくしない限り防止し得ないので、前室の容積の拡大を伴わずに、水鉄砲現象を防止する手段が望まれていた。
【００１５】
また前述したごとき水鉄砲現象により、注射前に溶解液が注射針の外側や図６に示すプロテクタＺの内側に付着することは好ましいことではない。
【００１６】
【発明が解決しようとする課題】
本発明は、上述した従来技術の問題点に鑑みて提案されたものであり、乾燥薬剤の懸濁あるいは溶解前に溶解液又は懸濁液のみが注射針から漏出してしまうことにより、注射器の前室内の乾燥薬剤の溶解が正しく行われない事態を防止できる２室式容器兼用注射器の提供を目的としている。
【００１７】
【課題を解決するための手段】
本発明の２室式容器兼用注射器は、注射針取付部であるカートリッジ（１）の筒先部（７）側の第１ラバーストッパ（６）と、プランジャーロッド（１０）の挿入口（１１）側に嵌挿された第２ラバーストッパ（９）と、両ラバーストッパ（６、９）の間に位置する第３ラバーストッパ（１２）とにより、カートリッジ（１）が前後２室（１４、１６）に気密に区分されている２室式容器兼用注射器であり、第１ラバーストッパ（６）と第３ラバーストッパ（１２）との間のカートリッジ（１）内壁に、外側に膨出してバイパス（１８）が形成されており、該バイパス（１８）内部の長軸方向の長さ（１９）より僅かに短い長さ（２０）の第３ラバーストッパ（１２）がバイパス（１８）の長軸方向内へ移動した際に、前室（１４）に対する後室（１６）のシール性が解除され、後室（１６）内の溶解液又は懸濁液がバイパス（１８）を通して乾燥薬剤の収納されている前室（１４）内に移動する構造の２室式容器兼用注射器において、前記バイパス（１８）はカートリッジ（１）の半径方向外側に膨出して形成され、バイパス（１８）の挿入口（１１）側の最大幅（ａ）を１とした場合に、筒先部（７）側の最大幅（ｂ）が１．２〜５．０の比率の範囲であり、バイパス（１８）の挿入口（１１）側と筒先部（７）側との間の側縁（２１）が直線状に形成されている（請求項１：図１、図２）。
【００１８】
本発明の２室式容器兼用注射器は、注射針取付部であるカートリッジ（１）の筒先部（７）側の第１ラバーストッパ（６）と、プランジャーロッド（１０）の挿入口（１１）側に嵌挿された第２ラバーストッパ（９）と、両ラバーストッパ（６、９）の間に位置する第３ラバーストッパ（１２）とにより、カートリッジ（１）が前後２室（１４、１６）に気密に区分されている２室式容器兼用注射器であり、第１ラバーストッパ（６）と第３ラバーストッパ（１２）との間のカートリッジ（１）内壁に、外側に膨出してバイパス（２２）が形成されており、該バイパス（２２）内部の長軸方向の長さ（１９）より僅かに短い長さ（２０）の第３ラバーストッパ（１２）がバイパス（２２）の長軸方向内へ移動した際に、前室（１４）に対する後室（１６）のシール性が解除され、後室（１６）内の溶解液又は懸濁液がバイパス（２２）を通して乾燥薬剤の収納されている前室（１４）内に移動する構造の２室式容器兼用注射器において、前記バイパス（２２）はカートリッジ（１）の半径方向外側に膨出して形成され、バイパス（２２）の挿入口（１１）側の最大幅（ａ）を１とした場合に、筒先部（７）側の最大幅（ｂ）が１．２〜５．０の比率の範囲であり、バイパス（２２）の挿入口（１１）側と筒先部（７）側との間の側縁（２３）がバイパス（２２）外方へ膨出する緩い凸状の円弧を形成していることを特徴としている（請求項２：図３）。
【００１９】
また、本発明の２室式容器兼用注射器は、注射針取付部であるカートリッジ（１）の筒先部（７）側の第１ラバーストッパ（６）と、プランジャーロッド（１０）の挿入口（１１）側に嵌挿された第２ラバーストッパ（９）と、両ラバーストッパ（６、９）の間に位置する第３ラバーストッパ（１２）とにより、カートリッジ（１）が前後２室（１４、１６）に気密に区分されている２室式容器兼用注射器であり、第１ラバーストッパ（６）と第３ラバーストッパ（１２）との間のカートリッジ（１）内壁に、外側に膨出してバイパス（２４）が形成されており、該バイパス（２４）内部の長軸方向の長さ（１９）より僅かに短い長さ（２０）の第３ラバーストッパ（１２）がバイパス（２４）の長軸方向内へ移動した際に、前室（１４）に対する後室（１６）のシール性が解除され、後室（１６）内の溶解液又は懸濁液がバイパス（２４）を通して乾燥薬剤の収納されている前室（１４）内に移動する構造の２室式容器兼用注射器において、前記バイパス（２４）はカートリッジ（１）の半径方向外側に膨出して形成され、バイパス（２２）の挿入口（１１）側の最大幅（ａ）を１とした場合に、筒先部（７）側の最大幅（ｂ）が１．２〜５．０の比率の範囲であり、バイパス（２４）の挿入口（１１）側と筒先部（７）側との間の側縁（２５）がバイパス（２４）内方へ膨出する緩い凸状の円弧を形成していることを特徴としている（請求項３：図４）。
【００２０】
或いは、本発明の２室式容器兼用注射器は、注射針取付部であるカートリッジ（１）の筒先部（７）側の第１ラバーストッパ（６）と、プランジャーロッド（１０）の挿入口（１１）側に嵌挿された第２ラバーストッパ（９）と、両ラバーストッパ（６、９）の間に位置する第３ラバーストッパ（１２）とにより、カートリッジ（１）が前後２室（１４、１６）に気密に区分されている２室式容器兼用注射器であり、第１ラバーストッパ（６）と第３ラバーストッパ（１２）との間のカートリッジ（１）内壁に、外側に膨出してバイパス（２６）が形成されており、該バイパス（２６）内部の長軸方向の長さ（１９）より僅かに短い長さ（２０）の第３ラバーストッパ（１２）がバイパス（２６）の長軸方向内へ移動した際に、前室（１４）に対する後室（１６）のシール性が解除され、後室（１６）内の溶解液又は懸濁液がバイパス（２６）を通して乾燥薬剤の収納されている前室（１４）内に移動する構造の２室式容器兼用注射器において、前記バイパス（２６）は、カートリッジ（１）の半径方向外側に膨出して形成されており、バイパス（２６）の筒先部（７）側（２９）のカートリッジ軸線と直交する断面における断面積を１とした場合に、バイパス（２６）の筒先部（７）側（２９）のカートリッジ軸線と直交する断面における断面積が１．２〜５．０の比率であり、カートリッジ（１）はバイパス（２６）の領域で半径方向外側へ膨出しており、当該膨出した領域の膨出度合いは、バイパス（２６）の挿入口（１１）側（２８）から筒先部（７）側（２９）に向かって徐々に大きくなり、バイパス（２６）よりも筒先部（７）側の領域では膨出度合いはゼロとなる様に構成されていることを特徴とする（請求項４：図５）。
【００２５】
【発明の実施の形態】
図１に示す実施例のものは、図６に示す注射器に請求項１，請求項２および請求項３の各発明を併せ適用した２室式容器兼用注射器の構造の概要を示すもので、バイパス１８の構造以外は図６に示すものと同一であり、カートリッジ１の開口端２にはカートリッジ１の外径よりやや大とされている筒先部７の内壁が嵌着されており、筒先部７の先端１７には注射針３を保護するプロテクタ４が付設された針基５が嵌着されており、該先端１７において、針基５は筒先部７に連通されている。
【００２６】
前記筒先部７側のカートリッジ１の内壁には、第１ラバーストッパ６が液密に嵌挿され、またプランジャーロッド１０の挿入口側たる鍔側１１に位置して第２ラバーストッパ９が液密に嵌挿されており、前記第１ラバーストッパ６と第２ラバーストッパ９との間には２個のストッパーよりなる第３ラバーストッパ１２が嵌挿されている。
【００２７】
前記第３ラバーストッパ１２により液密に区分された第１ラバーストッパ６と第３ラバーストッパ１２との間の区域は乾燥製剤など薬剤１３が充填される前室１４とされ、第２ラバーストッパ９と第３ラバーストッパ１２との間の区域は溶解液１５などの薬液が密封される後室１６とされており、第１ラバーストッパ６と第３ラバーストッパ１２との間のカートリッジ１の内壁に、外側に膨出されたバイパス１８が形成されている。
【００２８】
該バイパス１８の内部の形状は図２に模型的に示す部分拡大図のごとく、カートリッジ１の軸心に沿った長軸方向Ｘ−Ｘの長さ１９は、前記第３ラバーストッパ１２の長軸方向Ｘ−Ｘの長さ２０より僅かに長い形状とされており、第３ラバーストッパ１２が該バイパス１８内部へ移動したとき、前記後室１６のシール性は解除され、後室１６の中の溶解液や懸濁液１５がバイパス１８を通じて前記前室１４内に移動する構造は従来のカートリッジと同一とされている。
【００２９】
本発明では、前記バイパス１８の形状により、それぞれのバイパスを経由して前室１４へ移動する溶解液１５の流速および流れの状態などを変化させるもので、該バイパスの形状は注射針３から流出する水鉄砲の状態を解消する形状とされており、以下、各実施例について述べる。
【００３０】
図２に示す第１の実施例では、図１に示されるカートリッジ１の外側に膨出して形成された前記バイパス１８が、図２に示されるようにバイパス１８の鍔側１１の末端の最大幅ａを１としたとき筒先部７側の末端の最大幅ｂが１．２〜５．０の比率の範囲に形成されており、長軸方向Ｘ−Ｘの長さ１９は、第３ラバーストッパ１２の長軸方向Ｘ−Ｘの長さ２０より僅かに長い形状とされている。
【００３１】
前記バイパス１８の鍔側１１と筒先部７側との最大幅ａとｂの間のバイパス１８の側縁２１は直線縁とされている。
【００３２】
前述のごとく、バイパス１８の末端の各最大幅ａ，ｂあるいは長軸方向Ｘ−Ｘの長さ１９および第３ラバーストッパ１２の長さを決定するために、バイパス１８の鍔側１１の末端から溶解液１５がバイパス１８内に流入する時点において、第３ラバーストッパ１２の鍔側１１位置におけるバイパス１８の末端の最大幅ａと、そのときのバイパス１８の筒先部７側の末端における第３ラバーストッパ１２に臨むバイパス１８の溝幅の最大幅ｂとの比率を実験をもとに設定し、プランジャーロッド１０を押圧したとき、溶解液１５のバイパス１８を経由して前室１４への移動現象を観察して適正な範囲を見い出した。
【００３３】
実験ではバイパス１８の鍔側１１の末端の溝幅の最大幅ａを2.0ｍｍに設定し、筒先側末端の溝幅の最大幅ｂを変化させて、それぞれの条件下で、バイパス１８を経由して前室１４へ流入する溶解液１５の状態を観察した結果を表１に示す
。
【００３４】
【表１】
0003940455.tif 000002
【００３５】
実験条件：使用したシリンジ（注射器）
ガラスカートリッジ：内径φ１４．００ｍｍシリコン処理のもの第３ラバーストッパ：厚さ１２ｍｍ（２個使用し、２個の厚さの合計）
プランジャを押す速度：１５ｃｍ／ｍｉｎ
実験本数ｎ：各条件１０本
溶解液：水
観察結果の評価
×：バイパスを通過した溶解液が１本の水流となって、第１ラバーストッパの背面または筒先部の底部に勢いよく当り、シリンジ内面のガイド溝を経てあるいは直接に、注射針から漏出する可能性が大きい。
△：溶解液は１本の水流となって流入するが、勢いは弱い（注射針からの漏出の可能性あり）。
○：溶解液の流入速度は弱い（注射針からの漏出の可能性は少ない）。
◎：溶解液の流入速度は更に弱く、バイパスの出口で若干山状になるのみで、注射針からの漏出の可能性は皆無。
【００３６】
なお、実験では溝幅の最大幅ａを固定し、他方の最大幅ｂの条件を変化させて実験したが、これはバイパス１８の両端の溝幅の比率を求めるための手法として便宜的に固定したものであって、前記最大幅ａを２ｍｍとした数値に限定したものではなく、主旨として前記最大幅ａをできるだけ小さくし、所期の目的である水鉄砲現象を解消し、かつバイパス１８内の残液量をできるだけ少なくすることにある。
【００３７】
前記の実験条件において、それぞれの条件下における水鉄砲現象の発生の観察結果と前記最大幅ａおよびｂの溝幅の比率との関係をまとめたものが表１である。
ただし、表中に示すｂの数値が大きくなるにつれ、バイパス内の残液量も徐々に多くなり、特に比率が6.0の場合では水鉄砲現象は解消できてもバイパス内残液量が多く、実用に供し得ない結果である。
【００３８】
前述の結果から、図１に示されるごとくプランジャーロッド１０の押圧が加わり、溶解液１５がバイパス１８を経由して前室１４に流入する際、溝幅の最大幅ａより、最大幅ｂに至る流路の拡大により、空隙部分の狭隘性が改善されているため、すなわち流路の断面積が拡大されるため、プランジャーロッド１０の動作による定量の溶解液１５の流速は減速され、緩やかに前室１４に流入することになる。
【００３９】
従って最初にバイパス１８を通過した溶解液１５が、前室１４内の粉末製剤など薬剤１３を溶解しないまま前室１４を一気に通り越し、前室１４内の空気と共に注射針３から漏出するという水鉄砲現象は生じないことが確認された。
【００４０】
図３に示す第２の実施例のものは、請求項１，請求項２および請求項４の発明を併せ適用したもので、カートリッジ１の外側に膨出して形成されたバイパス２２の鍔側１１と筒先部７側との最大幅ｃおよびｄの間のバイパス２２の側縁２３がバイパス２２の外側へ向かって大きな半径Ｒ１による緩やかな凸円弧で形成され、該円弧の端部は、前記最大幅ｃおよびｄに連続されている緩凸弧縁形状とされている。
【００４１】
前記バイパス２２の鍔側１１の末端の最大幅ｃと筒先部７側の末端の最大幅ｄとの比率は１．２〜５．０の比率の範囲に形成されており、また長軸方向Ｘ−Ｘの長さ１９は第３ラバーストッパ１２の長さ２０より僅かに長い形状とされており、前述の請求項１，請求項２の構成と同一である。
【００４２】
従って溶解液１５がバイパス２２を経由して前室１４に流入するとき、バイパス２２の溝幅の最大幅部ｃとｄとの拡大比率の構成により流速の減速が見られると共に、該側縁２３が長軸方向Ｘ−Ｘに直交する断面が長軸の位置により面積の変化を有する緩凸弧縁に形成されているから、液流は側縁が直線状のものに比べればやや乱流傾向となり、液流はさらに減速される効果を及ぼすことにより、緩やかに前室１４へと流入することになる。
【００４３】
図４に示す第３の実施例のものは、請求項１，請求項２および請求項５の発明を併せ適用したもので、バイパス２４の鍔側１１の末端の最大幅部ｅと、筒先側の最大幅部ｆとの間の側縁２５が、内側へ向かって大きな半径Ｒ２による緩やかな凹円弧で形成され、該円弧の端部は、前記最大幅部ｅと最大幅部ｆに連続されている緩凹弧縁で形成され、所謂へちま形としたものであるが、これに限定せず、筒先側をマッシュルーム形状としても同様な効果を得るものである。
【００４４】
従って溶解液１５がバイパス２４を経由する時、前記側縁２５の緩凹弧縁形状による流路の断面変化によって液流はやや乱流形状となり、溝幅の最大幅部ｅとｆとの拡大比率による影響に加えて液流は減速される効果を及ぼすものである。
【００４５】
前述のごとく請求項１ないし請求項５の各発明では溶解液の流速の減少をバイパスの末端の幅の拡大のみで規制するのではなく、バイパスの側縁の形状および外方への膨出度合などにより液流に対する断面変化の効果を与えることにより、流速の減速効果を及ぼすことができる。
【００４６】
図５に示す第４の実施例のものは、請求項１，請求項２および請求項６の発明を併せ適用したもので、カートリッジ１の外側に膨出して形成されたバイパス２６のカートリッジ外方への膨出度合が、鍔側１１から筒先部７側に向かって徐々に高くされており、鍔側１１のバイパス２６の本体部２８と筒先側のバイパス２６の本体部２９との、カートリッジ軸線ｘ−ｘとを直交する縦断面積の比率が、鍔側１１のバイパス本体部２８の縦断面積を１とした場合に筒先部７側のバイパス本体部２９の縦断面積が１．２〜５．０の範囲の比率に概ねなるように前記膨出度合が設定されているバイパス２６の構造のものである。
【００４７】
図５に示すごとく、プランジャーロッド１０を押すことによって第３ラバーストッパ１２が鎖線で示す位置より筒先部７側に移動し、実線で示す位置を占めた時、前記第３ラバーストッパ１２の後室１６に対するシール性は解除され、後室１６に封入された溶解液１５はバイパス２６を経由して前室１４に流入する。
【００４８】
この時の溶解液１５の流量は、プランジャーロッド１０の押圧により一定とみなされるから、流速は流路の断面積に反比例した流速となるので、前述のごとく、バイパス本体部２８の位置を占めるＹ１の位置でカートリッジの外側への膨出寸法がｇとされた縦断面積を１とした場合に、筒先部７側のバイパス本体部２９の位置を占めるＹ２の位置では該膨出寸法がｈとされた縦断面積を１．２〜５．０の範囲とした比率に従って流速は減速され、溶解液１５の流れを示す矢印の流線のごとくＹ１の位置より位置Ｙ２の位置では拡散され、流速も減速されることが明瞭となり、前室１４への水鉄砲のごとき現象は防止できる効果を与えるものである。
【００４９】
また前述のごとくカートリッジ１の外側への膨出寸法差ｈ−ｇを膨出位置のＹ２とＹ１との間隔の長短に応じて選定すれば、流速の変化度合も容易に選定できる。
【００５０】
【発明の効果】
本件各発明によると、プランジャーロッドの押圧により付勢された溶解液の流速に対して、第１ラバーストッパと第３ラバーストッパとの間のカートリッジ内壁に外側に膨出形成されたバイパスの形状を、鍔方向の端部の形状を可能な限り小さくし、他方筒先方向の端部の形状寸法を広くし、バイパス内の体積の僅かな拡大によって大幅にその勢力を減少させることにより、溶解液は緩やかな流れとされ、その結果水鉄砲現象を防止できる効果を奏しめるものである。
【００５１】
従って溶解液が前室部の空気と共に注射針内に直接入り込むという事態を解消できるし、前室の薬剤に対して必要量の溶解液が静穏な流れとして前室内に移動できるから、良好な注射液が得られ、かつバイパス内の体積の僅かな拡大のみであるため、注射器内の残液を最小限としうる効果がある。
【図面の簡単な説明】
【図１】  請求項１，請求項２および請求項３の発明を併せ適用した実施例の注射器の構造の概要を示す断面図である。
【図２】  請求項１，請求項２および請求項３の発明を併せ適用した実施例のバイパス部の構造を示す模式図の上面図である。
【図３】  請求項１，請求項２および請求項４の発明を併せ適用した実施例のバイパス部の構造を示す模式図の上面図である。
【図４】  請求項１，請求項２および請求項５の発明を併せ適用した実施例のバイパス部の構造を示す模式図の上面図である。
【図５】  請求項１，請求項２および請求項６の発明を併せ適用した実施例のバイパス部の構造を示す模式図の側面図である。
【図６】  第１の従来例を示す略示断面図である。
【図７】  第２の従来例を示す略示断面図である。
【符号の説明】
１  カートリッジ
７  筒先部
９  第２ラバーストッパ
１０  プランジャーロッド
１１  挿入口側（鍔側）
１２  第３ラバーストッパ
１４  前室
１５  溶解液
１６  後室
１８，２２，２４，２６  バイパス
１９  バイパスの長さ
２０  第３ラバーストッパの長さ
２１  側縁（直線縁）
２３  側縁（緩凸弧縁）
２５  側縁（緩凹弧縁）
２８  バイパス本体部（鍔側）
２９  バイパス本体部（筒先側）
Ｘ−Ｘ  長軸方向
ｘ−ｘ  カートリッジ軸線
ａ，ｃ，ｅ  鍔側の最大幅部
ｂ，ｄ，ｆ  筒先側の最大幅部
【図１】
0003940455.tif 000003
【図２】
0003940455.tif 000004
【図３】
0003940455.tif 000005
【図４】
0003940455.tif 000006
【図５】
0003940455.tif 000007
【図６】
0003940455.tif 000008
【図７】
0003940455.tif 000009